(57)【要約】【課題】開閉体が不正に開けられないようにする。【解決手段】遊技者が、不正操作部材７４を、例えば、遊技機枠の前側から遊技領域５９の内部に挿入させ、前面パネル５３とガイドレール６０との間の隙間からアウト口６１を経由して遊技盤５７の裏側に回り込ませ、左開閉体１０や右開閉体１３を不正に開かせるために、左レバー２９、左レバー軸３０、左係合部３１、右レバー３２、右レバー軸３３、右係合部３４のいずれかを操作しようとしても、左被覆部４０の下壁や右被覆部４２の下壁が、下から上に向かって侵入してくる不正操作部材７４を阻止するように、左レバー２９、左レバー軸３０、左係合部３１、右レバー３２、右レバー軸３３、右係合部３４よりも下部に配置されているので、左開閉体１０や右開閉体１３が不正に開かれることがなく、球を左球入口部５や右球入口部６に不正に入れられることがない。【選択図】図１
2008067792.tif 000002
【特許請求の範囲】
【請求項１】
球入口部を開閉する開閉体が遊技盤の前側に設けられ、開閉体を動力で開閉する駆動機構が遊技盤の裏側に設けられ、駆動機構の裏側に駆動機構を覆い隠す裏カバーが設けられ、裏カバーが下から上に向かって駆動機構の側に侵入する不正操作部材の侵入を阻止する下壁を備えたことを特徴とするパチンコ遊技機の可変入賞装置。
【請求項２】
請求項１に記載の下壁には、下壁の周縁部から下方に突出するリブが設けられたことを特徴とするパチンコ遊技機の可変入賞装置。
【請求項３】
請求項１に記載の駆動機構が機構躯体を備え、機構躯体と裏カバーとが駆動機構の機構躯体とによって、駆動機構の機構躯体以外の構成部材を覆い隠すように収容する収容空間を形成したことを特徴とするパチンコ遊技機の可変入賞装置。
【発明の詳細な説明】
【技術分野】
【０００１】
本発明は、開閉体が不正に開けられないようにするパチンコ遊技機の可変入賞装置に関する。
【背景技術】
【０００２】
図５および図６は、特許文献１で開示されたパチンコ遊技機を示す。図中の符号として、５１は遊技機枠、５２は窓、５３は前面パネル、５４は球受皿、５５は球発射操作機構、５６は球発射機構、５７は遊技盤、５８は部品逃避孔、５９は遊技領域、６０はガイドレール、６１はアウト口、６２は始動装置、６３は可変入賞装置、６４は装置基盤、６５は球入口部、６６は開閉体、６７は開閉軸、６８は開閉突起、６９は駆動機構、７０は電磁ソレノイド、７１はプランジャ、７２は開閉操作体、７３は裏カバー、７４は不正操作部材を示す。図５に示すように、パチンコ遊技機では、遊技盤５７が遊技機枠５１に格納され、可変入賞装置６３と遊技領域５９とガイドレール６０とアウト口６１および始動装置６２が遊技機枠５１の前側から窓５２および前面パネル５３を通して視認可能になる。そして、遊技者が球受皿５４にパチンコ球と呼ばれる球を入れ、遊技者が球発射操作機構５５を右回りに操作すると、球発射機構５６が球発射操作機構５５の操作量に応じた発射力で駆動し、球発射機構５６が球受皿５４から遊技機枠５１の内部に取り込まれた球を１個ずつ遊技領域５９に向けて発射する。遊技領域５９に到達した球は、遊技領域５９を流下する過程において、可変入賞装置６３または始動装置６２または図外の一般入賞装置に入って遊技盤５７の裏側に排出される。可変入賞装置６３または始動装置６２または図外の一般入賞装置のいずれにも入らないで、遊技領域５９の最下部に到達した球は、アウト口６１から遊技盤５７の裏側に排出される。球が始動装置６２、可変入賞装置６３、図外の入賞装置のいずれかの１つに入ると、図外の球払出機構が賞球としての球を遊技者に与えるように球受皿５４に払い出す。図６に示すように、遊技領域５９は、前面パネル５３と遊技盤５７の前面との間におけるガイドレール６０で囲まれた部分として形成される。可変入賞装置６３では、装置基盤６４が遊技盤５７の前面に固定され、球入口部６５が装置基盤６４に前後方向に形成され、開閉体６６が開閉軸６７を中心として装置基盤６４の前側で前後方向に開閉可能に設けられる。開閉するための外力が開閉体６６に加えられていない場合、開閉体６６は自重で開閉軸６７を中心として図示のように前傾状に開き球入口部６５を開放する。駆動機構６９では、遊技盤５７の裏面に設けられた電磁ソレノイド７０が電力の供給によって磁化してプランジャ７１を図外のばねの弾力に抗して上方に移動すると、プランジャ７１に固定された開閉操作体７２も上昇する。これによって、上記外力が開閉体６６に加えられていない場合と同様、開閉体６６は自重で開閉軸６７を中心として図示のように前傾状に開いて球入口部６５を開放し、遊技領域５９を流下する球Ｐが開閉体６６から球入口部６５に入る。その後、電磁ソレノイド７０が電力の供給停止によって消磁すると、プランジャ７１が図外のばねの弾力で下方に移動し、開閉操作体７２が下降するのに伴い開閉突起６８を押し下げる。これによって、開閉体６６が自重に抗し開閉軸６７を中心として垂直状に閉じて球入口部６５を閉鎖し、遊技領域５９を流下する球Ｐが球入口部６５に入らなくなる。裏カバー７３が電磁ソレノイド７０や開閉操作体７２を裏側から覆うように設けられて開閉操作体７２の不正操作を防止している。しかしながら、裏カバー７３が開閉操作体７２の上側および裏側を覆うものの下側を開放した構造である。このため、少数の心無い遊技者が、不正操作部材７４を、例えば、図５の遊技機枠５１の前側から遊技領域５９の内部に挿入させ、前面パネル５３とガイドレール６０との間の隙間からアウト口６１を経由して遊技盤５７の裏側に回り込ませ、裏カバー７３と開閉操作体７２の間の隙間に下から上に向かって侵入させ、開閉操作体７２を不正操作部材７４で下から上に突き上げて、開閉体６６を自重で開かせて球を球入口部６５に不正に入れるという、不正操作を行う欠点があった。
【特許文献１】特開平１１−３１９２２８号公報
【発明の開示】
【発明が解決しようとする課題】
【０００３】
発明が解決しようとする問題点は、不正操作部材が裏カバーと開閉操作体との間の隙間に下から上に向かって侵入し、開閉体が不正に開けられ、球が球入口部に不正に入れるという点である。
【課題を解決するための手段】
【０００４】
本発明に係るパチンコ遊技機の可変入賞装置は、球入口部を開閉する開閉体が遊技盤の前側に設けられ、開閉体を動力で開閉する駆動機構が遊技盤の裏側に設けられ、駆動機構の裏側に駆動機構を覆い隠す裏カバーが設けられ、裏カバーが不正操作部材の下から上に向かって駆動機構の側に侵入するのを防止する下壁を備えたことを最も主要な特徴とする。下壁には下壁の周縁部から下方に突出するリブが設けられたり、または、駆動機構が機構躯体を備え、機構躯体と裏カバーとが駆動機構の機構躯体とによって、駆動機構の機構躯体以外の構成部材を覆い隠すように収容する収容空間を形成したりしてもよい。
【発明の効果】
【０００５】
本発明に係るパチンコ遊技機の可変入賞装置は、裏カバーの下壁が下から上に向かって駆動機構の側に侵入する不正操作部材の侵入を阻止するので、開閉体が不正に開かれることがなく、球を球入口部に不正に入れられることがなく、不正操作が確実に阻止できるという利点がある。下壁には下壁の周縁部から下方に突出するリブが設けられれば、不正操作部材が裏カバーの下壁のリブに下から接触した場合にそれよりも上方に移動しないように、リブが不正操作部材の上方への移動を阻止できるという利点がある。駆動機構が機構躯体を備え、機構躯体と裏カバーとが駆動機構の機構躯体とによって、駆動機構の機構躯体以外の構成部材を覆い隠すように収容する収容空間を形成すれば、遊技盤の裏側に回り込んだ不正操作部材が下側からだけでなく周囲全体から駆動機構の機構躯体以外の構成部材を操作することができなくなるという利点がある。
【発明を実施するための最良の形態】
【０００６】
図１乃至図４は、発明を実施するための最良の形態である。図１は、パチンコ遊技機における可変入賞装置１の周囲を縦方向に切断した断面を示す。図２は、可変入賞装置１および裏カバー３５を分解して示す。図３は、裏カバー３５の取り付けられた可変入賞装置１の裏側を示す。図４は、可変入賞装置１を前側から示す。本明細書において、「前」、「表」、「後」、「裏」、「左」、「右」、「上」、「下」の方向は、図１の状態に前面パネルおよび遊技盤を置いて矢印Ａで示す前側から見た場合に特定される方向である。「前」および「表」は、同じ方向である。「後」および「裏」は、同じ方向である。
【０００７】
図中の符号として、１は可変入賞装置、２は装置基盤、３は取付孔、４はアウト逃避部、５は左球入口部、６は右球入口部、７は左突起逃孔、８は右突起逃孔、９は基盤側取付部、１０は左開閉体、１１は左開閉軸、１２は左開閉突起、１３は右開閉体、１４は右開閉軸、１５は右開閉突起、１６は左球検出器、１７は右球検出器、１８は左球出口部、１９は右球出口部、２０は駆動機構、２１は機構躯体、２２は躯体側取付部、２３はねじ挿入孔、２４は左操作逃孔、２５は右操作逃孔、２６は電磁ソレノイド、２７はプランジャ、２８は連結棒、２９は右開閉操作体、３０は左開閉操作軸、３１は左係合部、３２は右開閉操作体、３３は右開閉操作軸、３４は右係合部、３５は裏カバー、３６は背壁、３７はソレノイド逃避部、３８は底壁、３９は底リブ、４０は左被覆部、４１は左リブ、４２は右被覆部、４３は右リブ、４４はカバー側取付部、４５はねじ収容部、４６は止ねじ、４７は止ねじ、４８は端子ユニット、５３は前面パネル、５７は遊技盤、５８は部品逃避孔、５９は遊技領域、６０はガイドレール、６１はアウト口を示す。パチンコ遊技機としては、図５を参照し、遊技盤５７が遊技機枠５１に格納され、可変入賞装置１と遊技領域５９とガイドレール６０とアウト口６１および始動装置６２が遊技機枠５１の前側から窓５２および前面パネル５３を通して視認可能になるが、図５の可変入賞装置６３は可変入賞装置１に置換される。
【０００８】
図４を参照し、可変入賞装置１について説明する。装置基盤２は、遊技盤５７に前側から取り付けられる可変入賞装置１の土台であって、光遮蔽性の有る有色な合成樹脂により構成される。取付孔３は、装置基盤２の周縁部に前後方向への貫通孔として設けられる。アウト逃避部４は、可変入賞装置１が遊技盤５７に取り付けられた場合に、アウト口６１の上部を縁取りするように遊技盤５７の前面に配置される部分であって、装置基盤２の下縁部から上方に窪み、下方および前後に開口した、凹部として、装置基盤２に設けられる。左球入口部５は、装置基盤２の前面の上方左側から取り込んだ球を下方中央側に誘導するように、装置基盤２の前面から前側に突出する通路として、装置基盤２に設けられる。右球入口部６は、装置基盤２の前面の上方右側から取り込んだ球を下方中央側に誘導するように、装置基盤２の前面から前側に突出する通路として、装置基盤２に設けられる。左突起逃孔７は、左開閉突起１２を逃げるための前後方向への貫通孔として、装置基盤２に設けられる。右突起逃孔８は、右開閉突起１５を逃げるための前後方向への貫通孔として、装置基盤２に設けられる。
【０００９】
左開閉体１０は、左開閉軸１１を中心として装置基盤２と平行しかつ左右に開閉するように、装置基盤２よりも前側に設けられる。左開閉体１０が実線で示す位置から仮想線で示す位置に開放された場合、左球入口部５が球を取り込めるようになる。左開閉体１０が仮想線で示す位置から実線で示す位置に閉鎖された場合、左球入口部５が球を取り込めなくなる。左開閉突起１２は、左開閉体１０から裏側に突出した突起として、左開閉体１０に設けられる。右開閉体１３は、右開閉軸１４を中心として装置基盤２と平行しかつ左右に開閉するように、装置基盤２に設けられる。右開閉体１３が実線で示す位置から仮想線で示す位置に開放された場合、右球入口部６が球を取り込めるようになる。右開閉体１３が仮想線で示す位置から実線で示す位置に閉鎖された場合、右球入口部６が球を取り込めなくなる。右開閉突起１５は、右開閉体１３から裏側に突出した突起として、右開閉体１３に設けられる。
【００１０】
左球検出器１６は、左球入口部５に設けられ、左球入口部５に取り込まれた球を検出した電気的な信号としての球検出信号を図外の制御装置に出力する。右球検出器１７は、右球入口部６に設けられ、左球入口部５に取り込まれた球を検出した電気的な信号としての球検出信号を図外の制御装置に出力する。左球出口部１８は、左球検出器１６を通過した球を装置基盤２の前面から裏側に排出するように、装置基盤２の前面に設けられる。右球出口部１９は、右球検出器１７を通過した球を装置基盤２の前面から裏側に排出するように、装置基盤２に設けられる。駆動機構２０は、装置基盤２の裏面に固定される。駆動機構２０については、図２で詳述する。端子ユニット４８は、駆動機構２０の裏面に固定され、図２および図３では図示が省略されている。
【００１１】
図４では、裏カバー３５の図示が省略されている。図４において、装置基盤２の裏側に突出した駆動機構２０や端子ユニット４８などの部品が、遊技盤５７の前側から部品逃避孔５８に挿入され、装置基盤２が部品逃避孔５８を前側から覆い隠し、木ねじなどの止ねじ４６が取付孔３から遊技盤５７に締結されることによって、可変入賞装置１が遊技盤５７に固定される。
【００１２】
図２を参照し、駆動機構２０について説明する。駆動機構２０は、左開閉体１０および右開閉体１３を動力で開閉する機構であって、機構躯体２１、躯体側取付部２２、ねじ挿入孔２３、左操作逃孔２４、右操作逃孔２５、電磁ソレノイド２６、プランジャ２７、連結棒２８、左開閉操作体２９、左開閉操作軸３０、左係合部３１、右開閉操作体３２、右開閉操作軸３３、右係合部３４、図外のばねを備える。
【００１３】
機構躯体２１は、上壁と、上壁の前縁部から下方に直角に突出する前壁と、上壁の左縁部から下方に直角に突出する左壁と、上壁の右縁部から下方に直角に突出する右壁と、前壁の下縁部から後側に直角に突出する下壁と、下壁から分離された状態で前壁の下縁部から下方に延設された躯体側取付部２２とを備える。そして、機構躯体２１の前壁が装置基盤２の裏側から図外の止ねじで装置基盤２の裏面から裏側に突出した図外の基盤側取付部に固定される。このように機構躯体２１の前壁が装置基盤２に固定された場合、躯体側取付部２２の前面が装置基盤２の裏面から裏側に突出した上記と別の基盤側取付部９の裏面に接触され、機構躯体２１の前壁が装置基盤２の裏面と平行となり、機構躯体２１の前壁と装置基盤２の裏面とには隙間が形成され、左係合部３１が図１に示す左突起逃孔７に嵌め込まれ、右係合部３４が図１に示す右突起逃孔８に嵌め込まれる。
【００１４】
図２に戻り、ねじ挿入孔２３は、前後方向への貫通孔として、躯体側取付部２２に設けられる。左操作逃孔２４は、左右方向への貫通孔として、機構躯体２１の左壁に形成される。右操作逃孔２５は、左右方向への貫通孔として、機構躯体２１の右壁に形成される。電磁ソレノイド２６は、機構躯体２１の左壁と右壁との間に位置し、機構躯体２１の左壁と右壁とを相互に繋ぐ上壁の下面に固定される。プランジャ２７は、電磁ソレノイド２６の駆動棒であって、装置基盤２の方向に向けられる。
【００１５】
連結棒２８は、プランジャ２７における装置基盤２の側に位置する前部に固定され、プランジャ２７から左右方向に延びる１本の棒である。連結棒２８の左端部は、左操作逃孔２４を貫通して機構躯体２１よりも左側に突出し、左開閉操作体２９の上部に回転可能に連結される。連結棒２８の右端部は、右操作逃孔２５を貫通して機構躯体２１よりも右側に突出し、右開閉操作体３２の上部に回転可能に連結される。
【００１６】
左開閉操作体２９は、左開閉体１０を開閉操作するためのレバーなる開閉操作体を構成し、機構躯体２１の左壁の外側に配置され、機構躯体２１の左壁に左開閉操作軸３０で機構躯体２１の左壁に沿って上下方向に回転可能に取り付けられる。左係合部３１は、左開閉操作体２９の前部に、前側および左右に開口した二股に形成される。右開閉操作体３２は、右開閉体１３を開閉操作するためのレバーなる開閉操作体を構成し、機構躯体２１の右壁の外側に配置され、機構躯体２１の右壁に右開閉操作軸３３で機構躯体２１の右壁に沿って上下方向に回転可能に取り付けられる。右係合部３４は、右開閉操作体３２の前部に、前側および左右に開口した二股に形成される。
【００１７】
裏カバー３５は、背壁３６、ソレノイド逃避部３７、底壁３８、底リブ３９、左被覆部４０、左リブ４１、右被覆部４２、右リブ４３、カバー側取付部４４、ねじ収容部４５を備える。背壁３６は、上下および左右に延びる板状である。ソレノイド逃避部３７は、背壁３６の上縁部から下方に窪み、上方および前後に開口した、凹部として、背壁３６の左右方向の中央部に形成される。底壁３８は、背壁３６の下縁部から前側に直角に突出する板状である。底リブ３９は、背壁３６の下縁部から底壁３８よりも下方に位置するように突出する。
【００１８】
左被覆部４０は、背壁３６の左側および底壁３８の左側に設けられ、裏壁と左壁と右壁と下壁とを備え、前側および上方に開口した箱形である。左リブ４１は、左被覆部４０の下壁の前縁部と左縁部および後縁部から下方に突出する。右被覆部４２は背壁３６の右側および底壁３８の右側に設けられ、裏壁と左壁と右壁と下壁とを備え、前側および上方に開口した箱形である。右リブ４３は、右被覆部４２の下壁の前縁部と右縁部および後縁部から下方に突出する。カバー側取付部４４は、底壁３８の前縁部から下方に直角に突出した板状として、底壁３８の左右方向の中央部に設けられる。ねじ収容部４５は、カバー側取付部４４の下縁部から上方に窪み、下方および前後に開口した、凹部として、カバー側取付部４４に形成される。
【００１９】
裏カバー３５は、装置基盤２に次のように取り付けられる。駆動機構２０が装置基盤２の裏側に取り付けられ、左係合部３１と図１の左突起逃孔７とが互いに嵌め合わされ、右係合部３４と図１の右突起逃孔８とが互いに嵌め合わされた後、裏カバー３５が駆動機構２０の裏側から駆動機構２０に被せられる。これによって、電磁ソレノイド２６がソレノイド逃避部３７に収容され、電磁ソレノイド２６の後部が裏カバー３５の背壁３６よりも後側に突出し、背壁３６の上縁部の前面が機構躯体２１の上壁の裏面に接触し、背壁３６の左縁部の前面が機構躯体２１の左壁の裏面に接触し、背壁３６の右縁部の前面が機構躯体２１の右壁の裏面に接触し、底壁３８の上面が機構躯体２１の下壁の下面に接触し、左被覆部４０が左開閉操作体２９と左開閉操作軸３０および左係合部３１を裏側と下側および左側から覆い隠し、右被覆部４２が右開閉操作体３２と右開閉操作軸３３および右係合部３４を裏側と下側および右側から覆い隠し、カバー側取付部４４の前面が躯体側取付部２２の裏面に接触する。
【００２０】
次に、止ねじ４７が裏カバー３５の後側からねじ収容部４５およびねじ挿入孔２３を経由して基盤側取付部９に締結される。これによって、裏カバー３５が、図３に示すように、装置基盤２に取り付けられる。図３に示すように、裏カバー３５が装置基盤２に取り付けられた場合、電磁ソレノイド２６、プランジャ２７、連結棒２８、左開閉操作体２９、左開閉操作軸３０、左係合部３１、右開閉操作体３２、右開閉操作軸３３、右係合部３４が、機構躯体２１と裏カバー３５とで覆い隠される。
【００２１】
図１を参照し、可変入賞装置１が遊技盤５７に取り付けられた構造について説明する。装置基盤２の裏側に突出した駆動機構２０や裏カバー３５などの部品が、遊技盤５７の前側から部品逃避孔５８に挿入され、装置基盤２が部品逃避孔５８を前側から覆い隠して遊技盤５７に図４の止ねじ４６で締結され、可変入賞装置１が遊技盤５７に取り付けられた場合、裏カバー３５の左被覆部４０が左開閉操作体２９と左開閉操作軸３０および左係合部３１の下側および裏側を覆い隠し、裏カバー３５の右被覆部４２が右開閉操作体３２と右開閉操作軸３３および右係合部３４の下側および裏側を覆い隠す。
【００２２】
このため、少数の心無い遊技者が、不正操作部材７４を、例えば、図５の遊技機枠５１の前側から図１の遊技領域５９の内部に挿入させ、前面パネル５３とガイドレール６０との間の隙間からアウト口６１を経由して遊技盤５７の裏側に回り込ませ、左開閉体１０や右開閉体１３を不正に開かせるために、左開閉操作体２９、左開閉操作軸３０、左係合部３１、右開閉操作体３２、右開閉操作軸３３、右係合部３４のいずれかを操作しようとしても、左被覆部４０の下壁や右被覆部４２の下壁が、下から上に向かって侵入してくる不正操作部材７４を阻止するように、左開閉操作体２９、左開閉操作軸３０、左係合部３１、右開閉操作体３２、右開閉操作軸３３、右係合部３４よりも下部に配置されているので、左開閉体１０や右開閉体１３が図４に仮想線で示すように開かれることがなく、球を左球入口部５や右球入口部６に不正に入れられることがなく、不正操作が確実に阻止されるという利点がある。
【００２３】
左被覆部４０の下壁や右被覆部４２の下壁には、左リブ４１や右リブ４３が設けられているので、不正操作部材７４が左被覆部４０の下壁や右被覆部４２の下壁に下から接触した場合にそれよりも上方に移動しないように、左リブ４１や右リブ４３が不正操作部材７４の上方への移動を阻止できるという利点がある。また、裏カバー３５が装置基盤２に取り付けられた場合、電磁ソレノイド２６、プランジャ２７、連結棒２８、左開閉操作体２９、左開閉操作軸３０、左係合部３１、右開閉操作体３２、右開閉操作軸３３、右係合部３４が、機構躯体２１と裏カバー３５とで覆い隠されているので、遊技盤５７の裏側に回り込んだ不正操作部材７４がプランジャ２７、連結棒２８、左開閉操作体２９、左開閉操作軸３０、左係合部３１、右開閉操作体３２、右開閉操作軸３３、右係合部３４のいずれかを操作することができず、左開閉体１０や右開閉体１３が不正に開かれることがなく、球を左球入口部５や右球入口部６に不正に入れられることがないという利点がある。
【００２４】
電磁ソレノイド２６、プランジャ２７、連結棒２８、左開閉操作体２９、左開閉操作軸３０、左係合部３１、右開閉操作体３２、右開閉操作軸３３、右係合部３４、図外のばねは、駆動機構２０の機構躯体２１以外の構成部材である。連結棒２８、左開閉操作体２９、左開閉操作軸３０、左係合部３１、右開閉操作体３２、右開閉操作軸３３、右係合部３４は、駆動機構２０におけるプランジャ２７の動作を左開閉体１０および右開閉体１３に伝達する動力伝達機構を構成する。よって、最良の形態は、機構躯体２１と裏カバー３５とが駆動機構２０の機構躯体２１以外の構成部材を覆い隠すように収容する収容空間を形成し、裏カバー３５の底壁３８や左被覆部４０の下壁および右被覆部４２の下壁が駆動機構２０の下から上に向かって駆動機構２０の動力伝達機構の側に侵入する不正操作部材７４の侵入を阻止する下壁を構成する。
【００２５】
図１と図２および図４を参照し、可変入賞装置１の左開閉体１０や右開閉体１３を開閉する動作について説明する。図１および図２において、電磁ソレノイド２６への電力供給が遮断され、プランジャ２７が図外のばねで前側に押されると、連結棒２８が左開閉操作体２９の上部および右開閉操作体３２の上部を前側に押し、左係合部３１が左開閉操作軸３０を中心として上方から図２に実線で示す位置へと下方に回転し、右係合部３４が右開閉操作軸３３を中心として上方から図２に実線で示す位置へと下方に回転する。これに伴い、図４に実線で示すように、左開閉体１０が左開閉軸１１を中心として左球入口部５を閉じ、右開閉体１３が右開閉軸１４を中心として右球入口部６を閉じる。
【００２６】
左開閉体１０および右開閉体１３が閉じられた図１および図２において、電力が電磁ソレノイド２６に供給され、電磁ソレノイド２６が図外のばねのばね力に抗しプランジャ２７を磁力で後側に吸引すると、連結棒２８が左開閉操作体２９の上部および右開閉操作体３２の上部を後側に引き、左係合部３１が左開閉操作軸３０を中心として下方から上方に回転し、右係合部３４が右開閉操作軸３３を中心として下方から上方に回転する。これに伴い、図４に仮想線で示すように、左開閉体１０が左開閉軸１１を中心として左球入口部５を開き、右開閉体１３が右開閉軸１４を中心として右球入口部６を開く。
【産業上の利用可能性】
【００２７】
電磁ソレノイド２６や連結棒２８および図外のばねを２個ずつ設け、一方の電磁ソレノイド２６の電気的な動作とばねの機械的な動作とによって左開閉体１０を開閉し、他方の電磁ソレノイド２６の電気的な動作とばねの機械的な動作とによって右開閉体１３を開閉するようにしてもよい。この場合、左開閉体１０と右開閉体１３とが別々に開閉するようにしてもよい。左開閉体１０および右開閉体１３を単一の開閉体として構成し、この単一の開閉体を図６の開閉体６６に類似するように下部の開閉軸を中心として装置基盤２の前側で前後方向に開閉可能にさせるようにしてもよい。この場合、左球入口部５および右球入口部６は、前後方向への単一の貫通孔として装置基盤２に設けられる。動力伝達機構は、左開閉操作体２９や右開閉操作体３２などの開閉操作体だけで構成してもよい。可変入賞装置１は、チューリップタイプのものでもよい。
【図面の簡単な説明】
【００２８】
【図１】パチンコ遊技機の可変入賞装置周囲の縦断面図（最良の形態）。
【図２】可変入賞装置および裏カバーの裏側からの分解斜視図（最良の形態）。
【図３】裏カバーを備えた可変入賞装置の裏側からの斜視図（最良の形態）。
【図４】可変入賞装置の前側からの斜視図（最良の形態）。
【図５】パチンコ遊技機の正面図（従来）。
【図６】パチンコ遊技機の可変入賞装置周囲の縦断面図（従来）。
【符号の説明】
【００２９】
１    可変入賞装置
２    装置基盤
５    左球入口部
６    右球入口部
１０  左開閉体
１３  右開閉体
２０  駆動機構
２１  機構躯体
２６  電磁ソレノイド
２７  プランジャ
２８  連結棒
２９  左開閉操作体
３０  左開閉操作軸
３１  左係合部
３２  右開閉操作体
３３  右開閉操作軸
３４  右係合部
３５  裏カバー
３８  底壁
３９  底リブ
４０  左被覆部
４１  左リブ
４２  右被覆部
４３  右リブ
７４  不正操作部材
【図１】
2008067792.tif 000003
【図２】
2008067792.tif 000004
【図３】
2008067792.tif 000005
【図４】
2008067792.tif 000006
【図５】
2008067792.tif 000007
【図６】
2008067792.tif 000008